【手続補正書】
【提出日】平成17年1月7日(2005.1.7)
【手続補正１】
【補正対象書類名】手続補正書
【補正対象項目名】手続補正１
【補正方法】変更
【補正の内容】
【手続補正１】
【補正対象書類名】明細書
【補正対象項目名】全文
【補正方法】変更
【補正の内容】
【書類名】      明細書
【発明の名称】    連結による大容量浸透地下貯水槽。
【特許請求の範囲】
【請求項１】
（イ）【図１】の桝状容器各外面に（２）の容器変形防止帯状補強材及び（３）の容器変形及び浮力抑止帯状補強材を施し一体化させた容器の上層内部に（１）のろ過材受け止め用格子枠を補強材を兼ねて固定する。容器各側壁面底部位置に容器の大きさにより２〜３個所（４）の連結容器とのゴム管接続口を設ける。この（４）に【図４】容器連結合成ゴム管をはめて合成ゴムのりにて接着固定し反対側は別の【図１】の同型連結容器の（４）とを同じく接着固定して連帯化させて規模に応じた貯水槽を一体化させるもので、容器内の水が空っぽで地下水位が高くなった場合の容器浮揚を防止するため各容器間（１５）の埋め戻しにはセメントと再生砕石の空練りを投入し【図１】（３）容器変形及び浮力抑止帯状補強材を固化一体化させるものである。
【請求項２】
コンクリート並びに合成樹脂その他の既製品水槽を連結通水穴（１９）により連結接続し一体化させて大容量貯水槽とさせる事、及び【図７】貯水槽と【図８】浸透層を分離製作又は一体化させて製作した貯水槽を連結して容量拡大する目的で製品化する事。
【請求項３】
貯水槽底部を浮力抑止及び水平安定性を保つため【図８】（２０）のように張り出し製品化する事、及び貯水槽底部と一体化させた型枠を製作する事。
【発明の詳細な説明】
【０００１】
【発明の属する技術分野】
この発明は雨水及び排水を日常地盤よりろ過層を透して貯水し再利用するための装置に関するものである。
【０００２】
【従来の技術】
従来の貯水施設はコンクリートにより防火用水として道路下又は空き地下に大掛りな工事で建設するのが常識であるが、それだけにところかまわず設置することは用地日時費用面で容易ではなかった。
【０００３】
【発明が解決しようとする課題】
したがって、これまでは殆どが防火用水としてしか利用されていなかった。本発明は雨水の直接ろ過貯水に加え雨樋からの放出水も取り込むことも可能で自然を無駄なく活用する意義も大きく、又この設置場所の確保工事費用等、殆ど気にする事も無く大きくは公園広場下、運動場下、農地回りの灌漑用に、ビル回り犬走り下、小さくは住宅回りの犬走り下、ブロック敷き歩道下、街路花壇下等樹木散水用から緊急災害避難所のトイレ給水用としても簡単に規模に応じた設置を可能にする事が出来るものである。この軽量小型化された単体の連結により作業性を高め小容量から大容量まで工事が短期間で簡単にできるために発明されたものである。
【０００４】
【課題を解決するための手段】
いま、ここにその構成を説明すると、
（イ）【図３】（８）ろ過材容器外枠に（１０）ろ過用スポンジ補強仕切板及び（９）網目状合成樹脂底板を固定した中に（６）荒目ろ過用合成樹脂スポンジ板及び（５）微砂ろ過用合成樹脂スポンジ板をはめ込み（７）網目状合成樹脂多孔板で覆い固定したものを【図１】上部にはめ込んだものが一体となる。
（ロ）【図１】と【図３】のろ過層が一体化されたものを【図４】の容器連結合成ゴム管又は鋼管等により四面各方向又は一面方向及び二面方向に連結して行くことにより現地状況にあわせて各方向に一体化した容量拡大をすることが可能となる。
（ハ）【図７】を連結接続管により連結据え付けた後に【図８】浸透層を固定し【図８】浸透層内の網目鉄板上に土のう袋状の袋に詰めた砂、及び微砕石を敷き込みグレーチング蓋をかぶせて連結一体化完了となる。
【０００５】
【発明の実施の形態】
次に本発明の実施の形態を述べると、
【０００４】（イ）（ロ）（ハ）の通り一体化されたものを基本に【図４】の容器連結合成ゴム管又は鋼管等により前後左右ジグザグが地形により自在に延伸拡大設置が可能である。以上のような構造であるから貯水層間の埋め戻しを再生砕にて行い、公園、グラウンド等は表面に真砂土等を敷きならし完了となる。
【０００６】
【発明の効果】
だから利用者は一般家庭で建て屋周り犬走り下に一列配置するだけで２〜３０トンが貯水可能でこれは日常一家庭の１ヶ月使用量に匹敵する量であり、これをトイレ水洗、樹木散水に活用するだけで莫大の貴重な浄水削減に寄与するものである。又最近自治体によっては水不足解消のため下水処理水の水洗トイレ再利用を検討しているところもあるが、本発明は動力等により強制貯水するのでなく、自然の恵みを自然な形で貯水するため維持費が殆どかからない。公園、運動場等大規模の貯水量を確保する場合でも一機に完成させずに予算に応じて随時増設することがかのうである。又街路花壇下に設置した場合は雨の降った時は勿論、日照りのときにたっぷり散水してもその内何割かは貯水槽に戻ることになり無駄とならないのである。
【図面の簡単な説明】
【図１】    容器単体斜視図。
【図２】    ろ過材容器平面図。
【図３】    ろ過材容器断面図。
【図４】    容器連結合成ゴム管断面図。
【図５】    ゴム管接続口断面図。
【図６】    連結施工完成断面図。
【図７】    鉄筋コンクリート連結浸透地下貯水槽斜視図。
【図８】    鉄筋コンクリート連結地下貯水槽接続浸透層斜視図。
【符号の説明】
（１）・はろ過材受止め用格子枠。
（２）・は容器変形防止帯状補強材。
（３）・は容器変形及び浮力抑止帯状補強材。
（４）・は連結容器とのゴム管接続口。
（５）・は微砂ろ過用合成樹脂スポンジ板。
（６）・は荒目ろ過用合成樹脂スポンジ板。
（７）・は網目状合成樹脂多孔板。
（８）・はろ過材容器外枠。
（９）・は網目状合成樹脂底板。
（１０）・はろ過用スポンジ補強仕切板。
（１１）・はゴム管滑り止め突起部。
（１２）・はゴム管滑り止め突起受け部。
（１３）・は単体本体ゴム管接続側壁部。
（１４）・は掘削突き固め地盤。
（１５）・は浮力抑止セメント砕石空練り埋め戻し。
（１６）・はグランド表層土又は歩道下層敷砂。
（１７）・は歩道レンガブロック。
（１８）・は浸透層接続部メス溝。
（１９）・はコンクリート貯水槽連結穴。
（２０）・は浮力抑止コンクリート底盤。
（２１）・は鉄筋コンクリート梁部。
（２２）・は底部穴あき鉄板。
（２３）・は貯水槽接続部オス突起部。
（２４）・はグレーチング受け枠アングル▲１▼。
（２５）・はグレーチング受け枠アングル▲２▼。
（２６）・はグレーチング受け枠アングル▲３▼。
（２７）・はグレーチング受け枠アングル▲４▼。
【手続補正２】
【補正対象書類名】手続補正書
【補正対象項目名】手続補正２
【補正方法】変更
【補正の内容】
【手続補正２】
【補正対象書類名】図面
【補正対象項目名】全図
【補正方法】変更
【補正の内容】
【図１】
2004257213.tif 000001
【図２】
2004257213.tif 000002
【図３】
2004257213.tif 000003
【図４】
2004257213.tif 000004
【図５】
2004257213.tif 000005
【図６】
2004257213.tif 000006
【図７】
2004257213.tif 000007
【図８】
2004257213.tif 000008
【手続補正３】
【補正対象書類名】手続補正書
【補正対象項目名】手続補正３
【補正方法】削除
【補正の内容】
【手続補正４】
【補正対象書類名】手続補正書
【補正対象項目名】手続補正４
【補正方法】削除
【補正の内容】
【手続補正５】
【補正対象書類名】手続補正書
【補正対象項目名】手続補正５
【補正方法】削除
【補正の内容】
【手続補正６】
【補正対象書類名】手続補正書
【補正対象項目名】手続補正６
【補正方法】削除
【補正の内容】